(57)【特許請求の範囲】
【請求項１】
締結すべき帯材の幅よりやや大きな内幅のチャンネルと、このチャンネルの左右のフランジに開けたくさび挿通孔と、このくさび挿通孔に打込まれて、重ね合わせた複数枚の帯材をチャンネルのウエブへ押しつけるくさびとからなるくさび型締結具。
【請求項２】
前記くさびの先端に、通孔を設け、この通孔にくさびの抜け止め用の補助くさびを打込むようにしたことを特徴とする請求項１記載のくさび型締結具。
【発明の詳細な説明】
【０００１】
【発明の属する技術分野】
本発明は簡易トラス梁に好適なくさび型締結具に関する。
【０００２】
【従来の技術】
図１２は従来のボルト締結型トラス梁を示す図であり、トラス梁１００は上絃材１０１と下絃材１０２とラチス１０３・・・（・・・は複数個を示す。以下同様。）とからなる軽量梁であり、ラチス１０３・・・と絃材１０１，１０２との結合をボルト１０４・・・で実施したものをボルト締結型トラス梁と言う。
勿論、ラチス１０３・・・を絃材１０１，１０２にリベット又は溶接で固着した梁もあるが、分解、組立てができないので、仮設小屋や簡易ハウスの骨格には不向きである。
【０００３】
【発明が解決しようとする課題】
前記ボルト締結型トラス梁は構造は簡便であるが、ボルトをナットを捩じ込むための時間が馬鹿にないことから作業時間が長くなること及びボルトの締付けトルク管理が実質的に困難であるという欠点を有する。
そこで、本発明の目的は、作業時間が短く、締付け確認が簡単であるトラス梁に好適なくさび型締結具を提供することにある。
【０００５】
【課題を解決するための手段】
上記目的を達成するために、請求項１は、締結すべき帯材の幅よりやや大きな内幅のチャンネルと、このチャンネルの左右のフランジに開けたくさび挿通孔と、このくさび挿通孔に打込まれて、重ね合わせた複数枚の帯材をチャンネルのウエブへ押しつけるくさびとからくさび型締結具を構成する。
くさび型締結具は、チャンネルとくさびとの２部品からなり、簡単で加工度が低いため安価に製造できる。
【０００６】
請求項２は、くさびの先端に、通孔を設け、この通孔にくさびの抜け止め用の補助くさびを打込むようにしたことを特徴とする。
くさびの抜け止めが可能であり、より安全性を高めることができる。
【０００７】
【発明の実施の形態】
本発明の実施の形態を添付図に基づいて以下に説明する。
図１は本発明に係るくさび型締結具の断面図であり、くさび型締結具１は、締結すべき帯材２，３，４の幅よりやや大きな内幅のチャンネル５と、このチャンネル５の左右のフランジ６，６に開けたくさび挿通孔７，７と、これらのくさび挿通孔７，７に打込まれて、重ね合わせた複数枚の帯材２，３，４をチャンネル５のウエブ８へ押しつけるくさび１０とからなる。
更にくさび１０は、先端に、通孔１１を備える。この通孔１１にくさびの抜け止め用の補助くさび１２を差込むことができる。
【０００８】
図２は図１の２矢視図であり、前記帯材２は例えば上絃材、帯材３はラチスの一端部、帯材４は別のラチスの一端部であり、これらにチャンネル５を上から被せ、くさび１０をくさび挿通孔７に打込み、くさび１０に補助くさび１２を上から打込んだ状態を示す。
【０００９】
以上の構成からなるくさび型締結具１を巧みに利用してトラス梁を製作する工程を次に説明する。
図３は本発明に係るトラス梁の分解図であり、先ず、上絃材２１と、下絃材２２と、両端に前記絃材２１，２２に平行なジョイント面２３，２３を備えたＩ型ラチス２４・・・及びくさび型締結具１・・・を準備する。そして、図示する如く、上絃材２１にラチス２４，２４の一方のジョイント面２３，２３を重ね（都合３枚重ね）て、そこをくさび型締結具１で締結する。同様に、下絃材２２にラチス２４，２４の他方のジョイント面２３，２３を重ね（都合３枚重ね）て、そこをくさび型締結具１で締結する。
【００１０】
図４は本発明に係るトラス梁の完成図であり、トラス梁２０は、一定寸法離して配置した２枚の上・下絃材２１，２２と、Ｉ型ラチス２４・・・と、これらラチス２４・・・と絃材２１，２２とをくさび作用で締結するくさび型締結具１・・・とからなる。
【００１１】
図５は本発明に係るトラス梁（別実施例）の分解図であり、上絃材２１と、下絃材２２と、両端と中央に前記絃材２１，２２に平行なジョイント面２３・・・を備えたＶ型ラチス２５・・・及びくさび型締結具１，１Ａ・・・を準備する。そして、図示する如く、上絃材２１にラチス２５，２５の一端のジョイント面２３，２３を重ね（都合３枚重ね）て、そこをくさび型締結具１で締結する。一方に、下絃材２２にラチス２５の中央のジョイント面２３を重ね（都合２枚重ね）て、そこをくさび型締結具１Ａで締結する。このくさび型締結具１Ａは、図１においてくさび型締結具１のウエブ８−くさび挿通孔７間距離を短縮したものである。
１本のラチス２５が２本のＩ型ラチス２４，２４に匹敵するので、ラチス２５の本数を半減することができる。しかし、２種のくさび型締結具１，１Ａを準備しなければならない。
【００１２】
図６は本発明に係るトラス梁（更なる別実施例）の分解図であり、上絃材２１と、下絃材２２と、両端に前記絃材２１，２２に両端と中央に前記絃材２１，２２に平行なジョイント面２３・・・を備えた逆Ｖ型ラチス２６・・・及びくさび型締結具１，１Ａ・・・を準備する。そして、図示する如く、上絃材２１にラチス２６の中央のジョイント面２３を重ね（都合２枚重ね）て、そこをくさび型締結具１Ａで締結する。一方、下絃材２２にラチス２６の一端のジョイント面２３，２３を重ね（都合３枚重ね）て、そこをくさび型締結具１で締結する。
【００１３】
図７はビニールハウスの断面図である。なお、正しくは「ビニル」であるが、便宜上、「ビニール」と呼ぶ。
ビニールハウス３０は、トラス梁構造の支柱梁３１，３１と、トラス梁構造のアーチ梁３２と、パイプ取付金具４０・・・を介して取り付けたアーチパイプ３３と、アーチパイプ３３に固着した樹脂シート３４とからなる。
【００１４】
図８は図７の要部拡大図であり、上絃材２１と、下絃材２２と、Ｉ型ラチス２４・・・と、くさび型締結具１・・・とからなるアーチ梁３２に、パイプ取付金具４０・・・を介してアーチパイプ３３を取付け、このアーチパイプ３３に樹脂シート３４を取付けた形態を示す。
【００１５】
図９はパイプ取付金具の分解斜視図であり、パイプ取付金具４０は、左右の壁が無く、上部にパイプ収納切欠き４１，４１を有するボックス金具４２と、このボックス金具４２の底部４３を跨ぐ形態で取付けるチャンネル４４と、チャンネル４４のフランジ４５，４５に開けたくさび挿通孔４６，４６と、このくさび挿通孔４６，４６に挿通するための第１くさび４７と、ボックス金具４２の底部４３上面へ摺接する第２くさび４８とからなる。
【００１６】
図１０は図８の１０−１０線断面図であり、上絃材２１にボックス金具４２を載せ、次に底部４３及び上絃材２１を跨ぐようにチャンネル４４を取付け、第１くさび４７を打込む。これで、上絃材２１にボックス金具４２を取付けたことになる。
次に、パイプ収納切欠き４１にハート型パイプ５０を取付け（この取付け要領は別途説明する。）、このパイプ５０にモール５１及びねじ５２にて樹脂シート３４を固定する。樹脂シート３４はいわゆる厚手の透明ビニールシートである。
【００１７】
図１１（ａ），（ｂ）はハート型パイプの取付け要領図である。
ハート型パイプ５０は、一部に凹部５３を形成したところの特型パイプであり、パイプ外径をＤ１とし、凹部５３の底までの距離をＤ２としたときに、Ｄ２は十分にＤ１より小さい。
そこで、（ａ）において凹部５３をパイプ収納切欠き４１の入口突起４１ａに当接し、矢印▲１▼の通りに、パイプ５０を回す。
【００１８】
すると、「智恵の輪」の要領で（ｂ）に示す通り、パイプ収納切欠き４１にパイプ５０が納る。この際に、凹部５３を上に向ける。この後、第２くさび４８（図１０参照）にて矢印▲２▼の通りにパイプ５０を押上げると、このパイプ５０は入口突起４１ａ，４１ｂに当って止まり、この状態で安定する。パイプ５０の回転止めや固定のためにボルトやねじを必要としない。
また、図１０に示した通り、平坦な凹部５３にモール５１を取付けるため、モール５１が滑り落ちる心配も無い。
即ち、ハート型パイプ５０を採用したため、パイプ取付け金具４０へ簡単にパイプ５０を取付けることができること、及びパイプ５０に樹脂シート３４を容易に取付けることができるわけである。
【００１９】
【発明の効果】
本発明は上記構成により次の効果を発揮する。
上記目的を達成するために、請求項１のくさび型締結具は、チャンネルとくさびとの２部品からなるため、簡単で加工度が低いため安価に製造できる。
【００２１】
請求項２は、くさびの抜け止めが可能であり、くさび型締結具の安全性をより高めることができる。
【図面の簡単な説明】
【図１】本発明に係るくさび型締結具の断面図
【図２】図１の２矢視図
【図３】本発明に係るトラス梁の分解図
【図４】本発明に係るトラス梁の完成図
【図５】本発明に係るトラス梁（別実施例）の分解図
【図６】本発明に係るトラス梁（更なる別実施例）の分解図
【図７】ビニールハウスの断面図
【図８】図７の要部拡大図
【図９】パイプ取付金具の分解斜視図
【図１０】図８の１０−１０線断面図
【図１１】ハート型パイプの取付け要領図
【図１２】従来のボルト締結型トラス梁を示す図
【符号の説明】
１…くさび型締結具、２，３，４…帯材、５…チャンネル、６…チャンネルのフランジ、７…くさび挿通孔、８…チャンネルのウエブ、１０…くさび、１１…通孔、１２…補助くさび、２０…トラス梁、２１…上絃材（絃材）、２２…下絃材（絃材）、２３…ジョイント面、２４…Ｉ型ラチス、２５…Ｖ型ラチス、２６…逆Ｖ型ラチス。
【図１】
0003670077.tif 000002
【図２】
0003670077.tif 000003
【図３】
0003670077.tif 000004
【図４】
0003670077.tif 000005
【図５】
0003670077.tif 000006
【図６】
0003670077.tif 000007
【図７】
0003670077.tif 000008
【図８】
0003670077.tif 000009
【図９】
0003670077.tif 000010
【図１０】
0003670077.tif 000011
【図１１】
0003670077.tif 000012
【図１２】
0003670077.tif 000013